(57)【要約】【課題】ポスト部材やパネル部材等における下端部の形状を調整した場合でも、巾木部材とポスト部材との間に隙間が生じることを防ぐことにより音漏れや光漏れを防止することが可能となる、間仕切り構造を提供する。【解決手段】間仕切り構造は、床面Ｆと天井Ｃとの間に立設される角筒形状のコーナーポスト３と、コーナーポスト３における右側面に固定されるガラスパネルＧと、ガラスパネルＧの下端部に沿って床面Ｆに設けられる巾木部材１と、を備え、巾木部材１におけるコーナーポスト３の側の端部は、ガラスパネルＧの表面に対して直交する方向視でコーナーポスト３の一部と重なり合う。【選択図】図２
2020204167.tif 000002
【特許請求の範囲】
【請求項１】
床面と天井との間に立設される角筒形状のポスト部材と、前記ポスト部材における少なくとも一つの側面に連結されるパネル部材と、前記パネル部材の下端部に沿って前記床面に設けられる巾木部材と、を備える間仕切り構造であって、
前記巾木部材における前記ポスト部材側の端部は、前記パネル部材の表面に対して直交する方向視で前記ポスト部材の一部と重なり合う、間仕切り構造。
【請求項２】
前記ポスト部材における前記側面には、前記巾木部材を挿入可能な開口部が形成され、
前記巾木部材における前記端部は、前記開口部に挿入されることにより、前記パネル部材の表面に対して直交する方向視で前記ポスト部材の一部と重なり合う、請求項１に記載の間仕切り構造。
【請求項３】
前記ポスト部材における前記側面には、前記巾木部材側に突出する凸条部が形成され、
前記巾木部材における前記端部は、前記パネル部材の表面に対して直交する方向視で前記凸条部と重なり合う、請求項１に記載の間仕切り構造。
【請求項４】
前記ポスト部材には前記側面と隣接する面にカバー部材が設けられ、
前記カバー部材の下端部と前記床面との間には間隙が形成される、請求項１から請求項３の何れか１項に記載の間仕切り構造。
【請求項５】
前記カバー部材の下端部の上下位置は、前記パネル部材の下端部の上下位置と一致する、請求項４に記載の間仕切り構造。
【請求項６】
前記ポスト部材と前記カバー部材とが一体的に成形される、請求項４又は請求項５に記載の間仕切り構造。
【発明の詳細な説明】
【技術分野】
【０００１】
本発明は間仕切り構造に関し、詳細にはポスト部材に対して間仕切り用の板状部材を組付ける間仕切り構造に関するものである。
【背景技術】
【０００２】
従来、ポスト部材、パネル体、ドア等で構成された間仕切り構造において、ポスト部材に対して間仕切り用の板状部材を組付ける構造が採用される場合がある（例えば、特許文献１を参照）。特許文献１には、複数のポスト部材の間に、間仕切りパネル、ドア、及び、補助パネル板等を設けた間仕切り構造が記載されている。
【先行技術文献】
【特許文献】
【０００３】
【特許文献１】特開２０１２−１３２２９６号公報
【発明の概要】
【発明が解決しようとする課題】
【０００４】
上記特許文献の如く構成された間仕切り構造においては、ポスト部材やパネル部材等における下端部の形状を調整することにより、意匠性を向上させることができる。しかし、上記の如く構成した場合、パネル部材の下方に設けた巾木部材とポスト部材との間に隙間が生じ、音漏れや光漏れの原因となる可能性があった。
【０００５】
本発明は以上の如き状況に鑑みてなされたものであり、本発明が解決しようとする課題は、ポスト部材やパネル部材等における下端部の形状を調整した場合でも、巾木部材とポスト部材との間に隙間が生じることを防ぐことにより音漏れや光漏れを防止することが可能となる、間仕切り構造を提供することである。
【課題を解決するための手段】
【０００６】
本発明は、上記課題を解決するために、以下に構成する間仕切り構造を提供する。
【０００７】
（１）床面と天井との間に立設される角筒形状のポスト部材と、前記ポスト部材における少なくとも一つの側面に固定されるパネル部材と、前記パネル部材の下端部に沿って前記床面に設けられる巾木部材と、を備える間仕切り構造であって、前記巾木部材における前記ポスト部材側の端部は、前記パネル部材の表面に対して直交する方向視で前記ポスト部材の一部と重なり合う、間仕切り構造。
【０００８】
（２）前記ポスト部材における前記側面には、前記巾木部材を挿入可能な開口部が形成され、前記巾木部材における前記端部は、前記開口部に挿入されることにより、前記パネル部材の表面に対して直交する方向視で前記ポスト部材の一部と重なり合う、（１）に記載の間仕切り構造。
【０００９】
（３）前記ポスト部材における前記側面には、前記巾木部材側に突出する凸条部が形成され、前記巾木部材における前記端部は、前記パネル部材の表面に対して直交する方向視で前記凸条部と重なり合う、（１）に記載の間仕切り構造。
【００１０】
（４）前記ポスト部材には前記側面と隣接する面にカバー部材が設けられ、前記カバー部材の下端部と前記床面との間には間隙が形成される、（１）から（３）の何れか一に記載の間仕切り構造。
【００１１】
（５）前記カバー部材の下端部の上下位置は、前記パネル部材の下端部の上下位置と一致する、（４）に記載の間仕切り構造。
【００１２】
（６）前記ポスト部材と前記カバー部材とが一体的に成形される、（４）又は（５）に記載の間仕切り構造。
【発明の効果】
【００１３】
以上における本発明に係るフレーム構造体は、以下に示す効果を奏する。
【００１４】
（１）の構成によれば、ポスト部材やパネル部材等における下端部の形状を調整した場合でも、巾木部材とポスト部材との間に隙間が生じることを防ぐことにより音漏れや光漏れを防止することができる。
【００１５】
（２）の構成によれば、巾木部材がポスト部材の開口部に挿入されるため、巾木部材とポスト部材との間に隙間が生じることを防ぐことができる。
【００１６】
（３）の構成によれば、巾木部材と凸条部とが重なり合うため、巾木部材とポスト部材との間に隙間が生じることを防ぐことができる。
【００１７】
（４）の構成によれば、カバー部材の下端部の形状を調整した場合でも、音漏れや光漏れを防止することができる。
【００１８】
（５）の構成によれば、カバー部材とパネル部材との下端部の高さを統一することにより、意匠性を向上させることが可能となる。
【００１９】
（６）の構成によれば、ポスト部材にカバー部材を組付ける手順を省略することができるため、間仕切り構造の組立手順を簡素化することができる。
【図面の簡単な説明】
【００２０】
【図１】第一実施形態に係る間仕切り構造を示した正面図。
【図２】図１中のＸ−Ｘ線断面図。
【図３】（ａ）は間仕切り構造の拡大正面図、（ｂ）はポスト部材の開口部を示した側面図。
【図４】別実施例に係る間仕切り構造のポスト部材を示した断面図。
【図５】第二実施形態に係る間仕切り構造を示した正面図。
【図６】図５中のＹ−Ｙ線断面図。
【図７】間仕切り構造の拡大正面図。
【図８】ポスト部材を示した斜視図。
【図９】第二実施形態の変形例に係る間仕切り構造を示した水平断面図。
【図１０】（ａ）及び（ｂ）はそれぞれ、変形例に係るポスト部材を示した底面図及び下方斜視図。
【発明を実施するための形態】
【００２１】
［第一実施形態］
以下では図１から図４を用いて、本発明の第一実施形態に係る間仕切り構造について説明する。本実施形態に係る間仕切り構造は、図１に示す如く、床面Ｆと天井Ｃとの間に、パネル部材であるガラスパネルＧ、スチールパネルＰ、ポスト部材であるスチール製のコーナーポスト３、ドア７等が立設されて構成されている。図１から図３（ａ）に示す如く、本実施形態においてコーナーポスト３の前面はアルミニウム製の押出形材からなるカバー部材３１で被覆されている。また、図２に示す矢印は、間仕切り構造の前後方向を示している。
【００２２】
図１に示す如く、間仕切り構造は床面Ｆに設けられる巾木部材１と、天井Ｃに設けられる天レール２とを備える。巾木部材１は、ガラスパネルＧ及びスチールパネルＰを支持している。換言すれば、巾木部材１はパネル部材であるガラスパネルＧ及びスチールパネルＰの下端部に沿って、床面Ｆに設けられている。
【００２３】
間仕切り構造を構成する各要素は、ドア７に備えられるドアガラス７５、及び、ガラスパネルＧに備えられる板ガラス２４を除いて、主にスチール合金又はアルミ合金で形成されている。以下、各構成要素について順に説明する。
【００２４】
図１及び図２に示す如く、コーナーポスト３の左側面には戸尻枠４を介してドア７が連結される。戸尻枠４には、ヒンジ８を介してドア７が組付けられる。ドア７は、戸尻枠４、戸先枠５、及び、上枠６で構成されたドア枠に支持される。ドア７は、ドア本体を構成する上下左右の四本の枠材に、矩形の面材である二枚のドアガラス７５・７５が外周辺を保持されて構成されている。ドア７の戸先側における上下方向中央部のやや下側には、ドア７を開閉する際に用いるドアノブ７６が設けられている。そして、図１に示す閉塞状態からドア７を後方に回動させることにより、戸尻枠４、戸先枠５、及び、上枠６で囲まれた空間が開放される。
【００２５】
本実施形態に係る間仕切り構造においては図２に示す如く、コーナーポスト３の右側面及び後側面にガラスパネルＧ・Ｇが角筒形状の支柱９を介して連結される。支柱９の下端部には巾木部材１が貫通される。なお、二枚のガラスパネルＧ・Ｇは、構成が共通するため、以下ではコーナーポスト３の右側面に固定されるガラスパネルＧについてのみ説明し、コーナーポスト３の後側面に固定されるガラスパネルＧについては詳細な説明を省略する。また、本実施形態において、ガラスパネルＧに替えてスチールパネルＰをコーナーポスト３に固定する構成とすることも可能である。
【００２６】
コーナーポスト３は、ドア７又はガラスパネルＧ等に対して直交する方向に他のパネル部材を連結するためのポスト部材である。本実施形態においてコーナーポスト３の前面はカバー部材３１で被覆されている。
【００２７】
ガラスパネルＧは、ガラスパネルＧの側部に設けられる枠材２１と、下部に設けられる下側枠材２２と、上部に設けられる上側枠材２３と、を備える。そして、これらの枠材２１・２２・２３に、矩形の面材である二枚の板ガラス２４・２４が外周辺を保持されている。
【００２８】
本実施形態に係る間仕切り構造において、巾木部材１におけるコーナーポスト３側の端部は、ガラスパネルＧの表面に対して直交する方向視（図１及び図３（ａ）における正面視、以下同様）でコーナーポスト３の一部と重なり合うように構成されている。具体的には図２及び図３（ａ）に示す如く、コーナーポスト３における右側面及び後側面には、巾木部材１を挿入可能な開口部３ａが形成される。そして、巾木部材１における端部は、図２に示す如くコーナーポスト３の開口部３ａに挿入される。これにより、巾木部材１は、ガラスパネルＧの表面に対して直交する方向視でコーナーポスト３の一部と重なり合う。
【００２９】
本実施形態に係る間仕切り構造によれば、コーナーポスト３及びガラスパネルＧにおける下端部が露出するように形状を調整した場合でも、巾木部材１とコーナーポスト３との間に隙間が生じることを防ぐことができる。具体的には、コーナーポスト３にはガラスパネルＧが固定される右側面と隣接する前面にカバー部材３１が設けられ、カバー部材３１の下端部と床面Ｆとの間には間隙が形成される。このように、コーナーポスト３の下端部が露出する場合でも、巾木部材１がコーナーポスト３の開口部３ａに挿入されるため、巾木部材１とコーナーポスト３との間に隙間が生じることを防ぐことができる。このため、間仕切り構造における音漏れや光漏れを防止することが可能となる。
【００３０】
本実施形態においては図３（ａ）に示す如く、カバー部材３１の下端部の上下位置は、ガラスパネルＧの下端部の上下位置と一致する。なお、本明細書において「（上下位置が）一致する」の記載は、間仕切り構造の使用者が目視した際に同一の上下位置であると違和感なく感じるレベルであるという意味で用いている。具体的に本実施形態においては、「一致する」の範囲を±２ｍｍ以内としている。このように、本実施形態に係る間仕切り構造においては、カバー部材３１とガラスパネルＧとの下端部の高さを統一することにより、意匠性を向上させることを可能としている。
【００３１】
また、図３（ａ）に示す如く、カバー部材３１の下端部の上下位置は、戸尻枠４の前面下端部の上下位置と一致する。このように、本実施形態に係る間仕切り構造においては、カバー部材３１と戸尻枠４の前面との下端部の高さを統一することにより、意匠性を向上させることを可能としている。
【００３２】
また、図２に示す如く、カバー部材３１の前面は、ガラスパネルＧにおける枠材２１の前面、及び、戸尻枠４の前面と略同一の面を形成するように配置される。このように、本実施形態に係る間仕切り構造においては、カバー部材３１、枠材２１、及び、戸尻枠４の前面の前後位置を統一することにより、意匠性をより向上させている。
【００３３】
本実施形態に係る間仕切り構造は、図４に示す別実施例の如く、コーナーポスト３で角部を構成することにより、直交する二方向（図４における右側方及び後方）にガラスパネルＧ・Ｇを固定することもできる。本実施例において、コーナーポスト３は前面及び左側面が略Ｌ字形状のカバー部材３２で被覆される。
【００３４】
本実施例においても、巾木部材１におけるコーナーポスト３側の端部は、図４に示す如くコーナーポスト３の開口部３ａに挿入される。これにより、巾木部材１は、ガラスパネルＧの表面に対して直交する方向視でコーナーポスト３の一部と重なり合う。このように、間仕切り構造で角部を構成した場合でも、巾木部材１とコーナーポスト３との間に隙間が生じることを防ぐことができるため、音漏れや光漏れを防止することが可能となる。
【００３５】
［第二実施形態］
次に、図５から図８を用いて、本発明の第二実施形態に係る間仕切り構造について説明する。本実施形態に係る間仕切り構造は、図５に示す如く、床面Ｆと天井Ｃとの間に、パネル部材であるガラスパネルＧ・Ｇ、及び、ポスト部材であるアルミニウム製の押出形材からなるコーナーポスト１０３等が立設されて構成されている。図５から図７に示す如く、本実施形態においてコーナーポスト１０３の前面はアルミニウム製の押出形材からなるカバー部材１３１で被覆されている。また、図６に示す矢印は、間仕切り構造の前後方向を示している。
【００３６】
図５に示す如く、間仕切り構造は床面Ｆに設けられる巾木部材１と、天井Ｃに設けられる天レール２とを備える。巾木部材１は、ガラスパネルＧを支持している。換言すれば、巾木部材１はパネル部材であるガラスパネルＧの下端部に沿って、床面Ｆに設けられている。
【００３７】
本実施形態に係る間仕切り構造においては図６に示す如く、コーナーポスト１０３の右側面、左側面、及び、後側面のそれぞれに、合計三枚のガラスパネルＧが固定される。それぞれのガラスパネルＧは、角筒形状の支柱９を介してコーナーポスト３に組付けられる。支柱９の下端部には巾木部材１が貫通される。なお、三枚のガラスパネルＧの構成は、前記第一実施形態におけるガラスパネルＧと同様であるため、詳細な説明を省略する。
【００３８】
以下では、コーナーポスト１０３の右側面に固定されるガラスパネルＧの下方における巾木部材１について説明する。本実施形態に係る間仕切り構造において、巾木部材１におけるコーナーポスト１０３側の端部は、ガラスパネルＧの表面に対して直交する方向視（図５及び図７における正面視、以下同様）でコーナーポスト１０３の一部と重なり合うように構成されている。具体的には図５から図８に示す如く、コーナーポスト１０３における右側面、左側面、及び、後側面のそれぞれには、巾木部材１の側に突出する凸条部１０３ａ・１０３ａがコーナーポスト１０３の長手方向に沿って形成されている。そして、巾木部材１における端部は、凸条部１０３ａ・１０３ａの間でコーナーポスト１０３の側面に突き当てられることにより、ガラスパネルＧの表面に対して直交する方向視で凸条部１０３ａ・１０３ａと重なり合う。
【００３９】
本実施形態に係る間仕切り構造によれば、コーナーポスト１０３及びガラスパネルＧにおける下端部が露出するように形状を調整した場合でも、巾木部材１とコーナーポスト１０３との間に隙間が生じることを防ぐことができる。具体的には、コーナーポスト１０３にはガラスパネルＧが固定される右側面と隣接する前面にカバー部材１３１が設けられ、カバー部材１３１の下端部と床面Ｆとの間には間隙が形成される。このように、コーナーポスト１０３の下端部が露出する場合でも、巾木部材１がコーナーポスト１０３の凸条部１０３ａと重なり合うため、巾木部材１とコーナーポスト１０３との間に隙間が生じることを防ぐことができる。このため、間仕切り構造における音漏れや光漏れを防止することが可能となる。
【００４０】
本実施形態においては図７に示す如く、カバー部材１３１の下端部の上下位置は、ガラスパネルＧの下端部の上下位置と一致する。このように、本実施形態に係る間仕切り構造においては、カバー部材１３１とガラスパネルＧとの下端部の高さを統一することにより、意匠性を向上させることを可能としている。
【００４１】
また、図６に示す如く、カバー部材１３１の前面は、ガラスパネルＧにおける枠材２１の前面と略同一の面を形成するように配置される。このように、本実施形態に係る間仕切り構造においては、カバー部材１３１及び枠材２１の前面の前後位置を統一することにより、意匠性をより向上させている。
【００４２】
次に、図９及び図１０を用いて、第二実施形態に係る間仕切り構造の変形例について説明する。本変形例に係る間仕切り構造は図９に示す如く、第二実施形態に係る間仕切り構造におけるコーナーポスト１０３及びカバー部材１０３に替えて、形状の異なるコーナーポスト２０３が設けられる。このため、以下ではコーナーポスト２０３の構成を中心として説明する。本変形例において、コーナーポスト２０３はアルミニウム製の押出形材で形成される。
【００４３】
本変形例において、コーナーポスト２０３は、コーナーポスト２０３の本体を構成する矩形断面の角筒状ポスト部材である本体部２３０と、コーナーポスト２０３において前面を被覆するカバー部２３１と、が押出により一体的に成形される。換言すれば、本変形例においてコーナーポスト２０３は、ポスト部材である本体部２３０とカバー部材であるカバー部２３１とが一体的に成形されている。このように、本変形例においては本体部２３０とカバー部２３１とを一体的に成形することにより、本体部２３０にカバー部２３１を組付ける手順を省略し、間仕切り構造の組立手順を簡素化している。
【００４４】
本変形例に係る間仕切り構造において、本体部２３０における右側面、左側面、及び、後側面のそれぞれには、巾木部材１の側に突出する凸条部２０３ａ・２０３ａがコーナーポスト２０３の長手方向に沿って形成されている。そして、巾木部材１における端部は、凸条部２０３ａ・２０３ａの間で本体部２３０の側面に突き当てられることにより、ガラスパネルＧの表面に対して直交する方向視で凸条部２０３ａ・２０３ａと重なり合う。
【００４５】
また、図１０（ｂ）に示す如く、本変形例に係る間仕切り構造において、カバー部２３１の下端部が切除され、カバー部２３１の下端部と床面Ｆとの間には間隙が形成されている。このように、本体部２３０及びガラスパネルＧにおける下端部が露出するように形状を調整した場合でも、巾木部材１とコーナーポスト２０３との間に隙間が生じることを防ぐことができる。このため、間仕切り構造における音漏れや光漏れを防止することが可能となる。
【００４６】
本変形例においても、カバー部２３１における下端部の上下位置は、ガラスパネルＧの下端部の上下位置と一致するように構成される。このように、本変形例に係る間仕切り構造においても、カバー部２３１とガラスパネルＧとの下端部の高さを統一することにより、意匠性を向上させることを可能としている。
【００４７】
また、図９に示す如く、カバー部２３１の前面は、ガラスパネルＧにおける枠材２１の前面と略同一の面を形成するように配置される。このように、本変形例に係る間仕切り構造においても、カバー部２３１及び枠材２１の前面の前後位置を統一することにより、意匠性をより向上させている。
【００４８】
なお、本明細書で説明したコーナーポスト及びカバー部材について、その材質は限定されるものではなく、スチール製又はアルミニウム製とは異なる他の素材を用いる構成としても差し支えない。
【符号の説明】
【００４９】
１        巾木部材                 ２        天レール       
３        コーナーポスト（ポスト部材・第一実施形態）
４        戸尻枠                   ５        戸先枠         
６        上枠                     ７        ドア           
８        ヒンジ                   ９        支柱    
２１        枠材                   ２２        下側枠材       
２３        上側枠材               ２４        板ガラス       
３１        カバー部材             ３２        カバー部材（別実施例）
７５        ドアガラス             ７６        ドアノブ       
Ｃ        天井                     Ｆ        床面           
Ｐ        スチールパネル           Ｇ        ガラスパネル   
１０３        コーナーポスト（ポスト部材・第二実施形態）
１０３ａ      凸条部               １３１        カバー部材     
２０３        コーナーポスト       ２０３ａ      凸条部         
２３０        本体部（第二実施形態の変形例におけるポスト部材）  
２３１        カバー部（第二実施形態の変形例におけるカバー部材）
【図１】
2020204167.tif 000003
【図２】
2020204167.tif 000004
【図３】
2020204167.tif 000005
【図４】
2020204167.tif 000006
【図５】
2020204167.tif 000007
【図６】
2020204167.tif 000008
【図７】
2020204167.tif 000009
【図８】
2020204167.tif 000010
【図９】
2020204167.tif 000011
【図１０】
2020204167.tif 000012